(57)【要約】【課題】金属製バックルのベルトの使用時において，金属アレルギーの症状を抑えることができるパンツを提供する。【解決手段】下着として着用されるパンツは，パンツ本体と，当該パンツ本体の履き口の開口縁の前面側所定長さ部分を当該所定長さ部分以外の開口縁部分よりも高くする凸部とを備える。パンツ本体の履き口の開口縁の全周にわたってウエストゴムが逢着されており，凸部は，当該ウエストゴムの一部として形成される。又は，凸部は，パンツ本体に対して取り外し可能に取り付けられる。【選択図】図１
2013209782.tif 000002
【特許請求の範囲】
【請求項１】
下着として着用されるパンツにおいて，
パンツ本体と，
当該パンツ本体の履き口の開口縁の前面側所定長さ部分を当該所定長さ部分以外の開口縁部分よりも高くする凸部とを備えることを特徴とするパンツ。
【請求項２】
請求項１において，
前記開口縁の全周にわたってウエストゴムが逢着されており，
前記凸部は，当該ウエストゴムの一部として形成されることを特徴とするパンツ。
【請求項３】
請求項１において，
前記凸部は，前記パンツ本体に対して取り外し可能に取り付けられることを特徴とするパンツ。
【発明の詳細な説明】
【技術分野】
【０００１】
本発明は，下着として着用されるトランクス，ブリーフ等のパンツに関するものである。
【背景技術】
【０００２】
夏場のような暑い時季の服装は，例えば，ズボンとシャツ一枚のような薄着となる。下着としてのパンツの上にズボンをはき，シャツ（Ｔシャツなど）１枚を素肌の上に着用する際，シャツの下裾部分をズボンの中に入れず，ズボンの外に出して着用する場合がある。この場合，ズボンにベルトを通して着用していると，人の姿勢や着用状態によって，ベルトのバックル部分が人の肌に直接触れる場合がある。
【０００３】
ベルトのバックルは，一般に金属で構成されており，その金属のバックル部分が肌に直接ふれると，個人差はあるが，人によっては，金属アレルギーの症状がでる場合がある。
【０００４】
金属アレルギー対策として，例えば，肌に直接触れる腕時計用バンドについて，金属アレルギーの症状が出にくい素材を用いるなどの対策を講じる技術が特許文献１及び２に開示されている。
【先行技術文献】
【特許文献】
【０００５】
【特許文献１】特開２００４−３２１５１７号公報
【特許文献２】特開２００５−４０３７５号公報
【発明の概要】
【発明が解決しようとする課題】
【０００６】
特許文献１及び２の技術思想を利用して，ベルトのバックルを金属アレルギーの症状が出ない素材で形成することも考えられるが，そうすると，現在所有している金属製バックルのベルトには適用できない。また，バックルの形状は，ベルト全体の意匠において大きな比重を占めるものであり，金属アレルギーの症状が出ない素材を用いる場合，加工性，耐久性，強度などさまざまな制約が発生するおそれがある。
【０００７】
本発明は，上記問題点に鑑み，金属製バックルのベルトの使用時において，金属アレルギーの症状を抑えることができるパンツを提供することにある。
【課題を解決するための手段】
【０００８】
上記目的を達成するための本発明の構成は，下着として着用されるパンツにおいて，パンツ本体と，当該パンツ本体の履き口の開口縁の前面側所定長さ部分を当該所定長さ部分以外の開口縁部分よりも高くする凸部とを備えることを特徴とする。
【０００９】
上記構成において，好ましくは，パンツ本体の履き口の開口縁の全周にわたってウエストゴムが逢着されており，凸部は，当該ウエストゴムの一部として形成される。又は，凸部は，パンツ本体に対して取り外し可能に取り付けられてもよい。
【発明の効果】
【００１０】
本発明によれば，ベルトのバックルが肌に直接触れず，金属アレルギーの発症を抑えることができる。
【図面の簡単な説明】
【００１１】
【図１】本発明の実施の形態におけるパンツの斜視図である。
【図２】本発明の実施の形態におけるパンツの正面図である。
【図３】本発明の実施の形態におけるパンツの着用状態を説明する図である。
【図４】パンツ本体１０に取り外し可能に取り付けられる凸部１８を説明する図である。
【発明を実施するための形態】
【００１２】
以下，図面を参照して本発明の実施の形態について説明する。しかしながら，かかる実施の形態例が，本発明の技術的範囲を限定するものではない。
【００１３】
図１は本発明の実施の形態におけるパンツの斜視図，図２は同パンツの正面図である。本実施の形態では，トランクス型パンツを例示するが，本発明は，ブリーフ型パンツにも適用可能である。トランクス型パンツ及びブリーフ型パンツは，その形状のタイプにより分類されるものである。一般にブリーフは，一般的なトランクスとの形状の違いに加えて，伸縮性のある素材を用いて作られ，体に密着するように着用されるが，トランクスであって，いわゆるボクサーパンツと呼ばれるパンツのように，トランクスの形状を有しつつ，ブリーフのような伸縮性のある素材を用いて作られたパンツもあり，トランクス型パンツは，当該ボクサーパンツをも含むものである。
【００１４】
図１及び図２において，トランクス型のパンツ本体１０は，綿やポリエステルなどの生地を所定形状に裁断して得られる左前身頃１１，右前身頃１２，及び後身頃１３をそれぞれ縫合するなどして構成される。
【００１５】
そして，パンツ本体１０は，その上部が履き口１４として開口されると共に，その下部は二股状に分かれて左右一対の脚履き口１５として開口されている。また，パンツ本体１０の前部をなす左前身頃１１と右前身頃１２との間は，縫合せずして部分的に重ね合わされた開通部１６とされ，その開通部１６から着用者の陰茎を出し入れできるようにしてある。
【００１６】
履き口１４には，その開口縁１４ａに沿って帯状のウエストゴム１７が逢着されており，これにより履き口１４が全周に亘り伸縮自在とされている。
【００１７】
そして，ウエストゴム１７には，全周にわたる開口縁１４ａのうち，その前面側所定長さ部分に，その所定長さ部分以外の開口縁部分よりも高さが高くなる凸部１８が形成される。凸部１８は，ウエストゴム１７の一部として形成され，例えば，長さ（幅）２００ｍｍ程度，周縁部分からの最高高さ部分が６０ｍｍ〜８０ｍｍ程度の寸法を有する。寸法は，パンツのサイズに合わせて適宜調整される。また，凸部１８の形状は，一例として，図１及び図２（ａ）に示されるように，凸部１８の左右端部から中央部分に向けて徐々に高くなるような円弧状に形成される。又は，図２（ｂ）に示される台形状，さらには矩形状を含むさまざまな凸形状に形成されうる。
【００１８】
図３は，本発明の実施の形態におけるパンツの着能状態を説明する図である。ウエストゴム１７の前面側部分に凸部１８を形成し，他の開口縁部分よりも高く形成することで，図３に示すように，ベルトが，ズボンの上からはみ出した場合においても，凸部１８がズボンの上端より上方に延在し，ベルトのバックルは凸部１８に当たり，それによって，ベルトのバックルが直接肌に触れるのを防止することができる。すなわち，凸部１８は，ベルトのバックルをカバーできる程度の面積を有して，開口縁の他の周縁部分から上方に突出するように配置される。これにより，ベルトのバックルが直接肌に触れることにより生じる金属アレルギーの発生を抑えることができる。
【００１９】
凸部１８は，ウエストゴム１７と一体的ではなく，別部品として作られ，凸部１８をウエストゴム１７の前面側に取り付けるようにしてもよい。この場合，ウエストゴム１７の伸縮に応じて，凸部１８の取り付け箇所も動くように取り付けられる。または，凸部１８は，その下端部分がパンツ本体１０の伸縮しない部分，例えば前身頃部分に取り付けられ，前身頃部分から上方に延び，履き口１４からベルトのバックルをカバーする幅と高さで突出するように配置される。凸部１８をウエストゴム１７とは別部品で形成する場合，逢着によりウエストゴム又は前身頃部分に固定的に取り付けてもよいし，または，凸部１８をパンツ本体１０から取り外し可能に取り付けられてもよい。
【００２０】
図４は，パンツ本体１０に取り外し可能に取り付けられる凸部１８を説明する図である。例えば，パンツ本体１０の前身頃部分に，中心線から左右両側に所定間隔をあけてボタン２０を逢着し，凸部１８には，そのボタンに対応する切れ目状のボタン孔２１を形成することで，取り外し可能に取り付けることができる。ボタンに代わって面ファスナーを用いて取り外し可能に取り付けることもできる。
【００２１】
本発明は，前記実施の形態に限定されるものではなく，本発明の分野における通常の知識を有する者であれば想到し得る各種変形，修正を含む要旨を逸脱しない範囲の設計変更があっても，本発明に含まれることは勿論である。
【符号の説明】
【００２２】
１０：パンツ本体，１１：左前身頃，１２：右前身頃，１３:後身頃，１４：履き口，１４ａ：開口縁，１５：脚履き口，１６：開通部，１７：ウエストゴム，１８：凸部，２０：ボタン，２１：ボタン孔
【図１】
2013209782.tif 000003
【図２】
2013209782.tif 000004
【図３】
2013209782.tif 000005
【図４】
2013209782.tif 000006